(57)【特許請求の範囲】
【請求項１】
低温の被加熱液体と加熱された高温の被加熱液体とを密度差によって貯蔵可能な貯液タンクと、
前記貯液タンクの底部から取り出した低温の被加熱液体をヒートポンプサイクルにより加熱し、高温の被加熱液体を前記貯液タンクの上部へと戻すヒートポンプユニットと、
前記ヒートポンプユニットを制御する制御手段と、を備え、
前記制御手段は、
夜間電気割引料金が適用される夜間電気割引料金時間帯内で設定される沸き上げ時間帯において、前記貯液タンク内の高温の被加熱液体が第一所定量以下となると、前記ヒートポンプユニットにより加熱された高温の被加熱液体を前記貯液タンクに貯える沸き上げ運転と、
前記沸き上げ時間帯以外の時間帯である他時間帯において、前記貯液タンク内の高温の被加熱液体が前記第一所定量よりも少ない第二所定量以下となると、前記ヒートポンプユニットにより加熱された高温の被加熱液体を前記貯液タンクに貯える沸き増し運転と、
を実行可能な液体加熱供給装置であって、
前記制御手段は、
前記沸き上げ時間帯の開始時刻において、前記貯液タンク内の高温の被加熱液体の貯液量から前記第二所定量を減算した余分液量が多いほど、次回の前記沸き上げ時間帯の終了時刻が早くなるように変更する
ことを特徴とする液体加熱供給装置。
【請求項２】
前記制御手段は、
前記終了時刻変更機能は、曜日ごとに実行され、
前週の同じ曜日の前記沸き上げ時間帯の終了時刻に基づいて前記沸き上げ運転を制御する
ことを特徴とする請求項１に記載の液体加熱供給装置。
【請求項３】
前記制御手段は、
前記終了時刻変更機能は、曜日ごとに実行され、
同じ曜日の前記沸き上げ時間帯の終了時刻の平均値に基づいて前記沸き上げ運転を制御する
ことを特徴とする請求項１に記載の液体加熱供給装置。
【請求項４】
前記制御手段は、
前記沸き上げ時間帯の終了時刻において、前記貯液タンク内の高温の被加熱液体が第三所定量よりも少ない場合には、前記沸き上げ時間帯の終了時刻を再調整する
ことを特徴とする請求項１乃至請求項３のいずれか１項に記載の液体加熱供給装置。
【請求項５】
前記ヒートポンプユニットの冷媒がＣＯ２である
ことを特徴とする請求項１乃至請求項４のいずれか１項に記載の液体加熱供給装置。
【発明の詳細な説明】
【技術分野】
【０００１】
本発明は、液体加熱供給装置に関するもので、特に液体加熱供給装置の運転制御に関する。
【背景技術】
【０００２】
被加熱液体（例えば、飲用水道水や地下水）を加熱し、加熱された高温の被加熱液体を貯え、使用者の必要に応じて貯えた高温の被加熱液体を供給する液体加熱供給装置として、例えば、ヒートポンプ給湯機が知られている。
ヒートポンプ給湯機は、湯を（高温の被加熱液体）使用しない時間帯、一般的には夜間に「沸き上げ時間帯」を設け、貯液タンク下部よりヒートポンプに水（被加熱液体）を引き込み、水（被加熱液体）を加熱して高温水（高温の被加熱液体）として貯液タンクに戻して満蓄になる様に沸き上げを行なうものである。また、使用湯量が多い場合は、沸き上げ時間帯の以外の時間帯、一般的には昼間時間帯においても、あらかじめ設定された貯湯量になる様に沸き増し運転を行い湯切れを回避する。
【０００３】
また、昼間時間帯の沸き増し運転を最小限にする為に、使用した湯量または沸き増し量を記憶し、使用量に応じて沸き上げ貯湯量を可変させ無駄な沸き増し運転を防止すると共に、湯切れを防止しつつ沸き上げ時間帯の運転効率を良くする為に残湯量を少なくする方法が知られている。特開２００３−１５６２５４号公報（特許文献１）には、使用湯量記憶手段に記憶された前日の使用湯量が所定量以上少ない場合に、加熱動作開始の残湯量を多く変更する加熱動作開始残湯量変更手段を備えたヒートポンプ式給湯器が開示されている。
【先行技術文献】
【特許文献】
【０００４】
【特許文献１】特開２００３−１５６２５４号公報
【発明の概要】
【発明が解決しようとする課題】
【０００５】
特許文献１に開示されているように、従来のヒートポンプ給湯機は、使用湯量を把握すべく水量センサ（流量センサ）などを設置し、高価なシステム構成となっていた。また、前日や日々の使用湯量、沸き上げ量、残湯量などから演算し制御しているため、各曜日毎の使用量の違いに対応できず無駄な沸き上げが発生する可能性があった。
【０００６】
そこで、本発明は、安価で無駄な沸き上げを抑制できる液体加熱供給装置（例えば、ヒートポンプ給湯機）を提供することを目的とする。
【課題を解決するための手段】
【０００７】
本発明は、このような目的を解決するために、請求項１に係る液体加熱供給装置は、低温の被加熱液体と加熱された高温の被加熱液体とを密度差によって貯蔵可能な貯液タンクと、前記貯液タンクの底部から取り出した低温の被加熱液体をヒートポンプサイクルにより加熱し、高温の被加熱液体を前記貯液タンクの上部へと戻すヒートポンプユニットと、前記ヒートポンプユニットを制御する制御手段と、を備え、前記制御手段は、夜間電気割引料金が適用される夜間電気割引料金時間帯内で設定される沸き上げ時間帯において、前記貯液タンク内の高温の被加熱液体が第一所定量以下となると、前記ヒートポンプユニットにより加熱された高温の被加熱液体を前記貯液タンクに貯える沸き上げ運転と、前記沸き上げ時間帯以外の時間帯である他時間帯において、前記貯液タンク内の高温の被加熱液体が前記第一所定量よりも少ない第二所定量以下となると、前記ヒートポンプユニットにより加熱された高温の被加熱液体を前記貯液タンクに貯える沸き増し運転と、を実行可能な液体加熱供給装置であって、前記制御手段は、前記沸き上げ時間帯の開始時刻において、前記貯液タンク内の高温の被加熱液体の貯液量から前記第二所定量を減算した余分液量が多いほど、次回の前記沸き上げ時間帯の終了時刻が早くなるように変更することを特徴とする。
【０００８】
また、請求項２に係る液体加熱供給装置は、前記制御手段は、前記終了時刻変更機能は、曜日ごとに実行され、前週の同じ曜日の前記沸き上げ時間帯の終了時刻に基づいて前記沸き上げ運転を制御することを特徴とする。
【０００９】
また、請求項３に係る液体加熱供給装置は、前記制御手段は、前記終了時刻変更機能は、曜日ごとに実行され、同じ曜日の前記沸き上げ時間帯の終了時刻の平均値に基づいて前記沸き上げ運転を制御することを特徴とする。
【００１０】
また、請求項４に係る液体加熱供給装置は、前記制御手段は、前記沸き上げ時間帯の終了時刻において、前記貯液タンク内の高温の被加熱液体が第三所定量よりも少ない場合には、前記沸き上げ時間帯の終了時刻を再調整することを特徴とする。
【００１１】
また、請求項５に係る液体加熱供給装置は、前記液体加熱手段は、ヒートポンプユニットであることを特徴とする。
【００１２】
また、請求項６に係る液体加熱供給装置は、前記ヒートポンプユニットの冷媒がＣＯ２であることを特徴とする。
【発明の効果】
【００１３】
本発明によれば、安価で無駄な沸き上げを抑制できる液体加熱供給装置を提供することができる。
【図面の簡単な説明】
【００１４】
【図１】本実施形態に係るヒートポンプ給湯機の構成模式図である。
【図２】本実施形態に係るヒートポンプ給湯機の運転動作のフローチャートである。
【図３】本実施形態に係るヒートポンプ給湯機の1日の残湯量変化を示す図である。
【図４】本実施形態に係るヒートポンプ給湯機の学習制御を説明する図である。
【発明を実施するための形態】
【００１５】
以下、本発明を実施するための形態（以下「実施形態」という）について、適宜図面を参照しながら詳細に説明する。なお、各図において、共通する部分には同一の符号を付し重複した説明を省略する。
【００１６】
≪ヒートポンプ給湯機≫
図１は、本実施形態に係るヒートポンプ給湯機の構成模式図である。
ヒートポンプ給湯機は、ヒートポンプ冷媒回路の構成部品および被加熱液体回路の一方の構成部品を収納したヒートポンプユニット３０と、被加熱液体回路の他方の構成部品および給液回路の構成部品を収納した貯液ユニット４０と、ヒートポンプユニット３０および貯液ユニット４０を制御する運転制御手段５０とを備えて構成されている。
以下、ヒートポンプ冷媒回路、被加熱液体回路、および給液回路の構成について説明する。
【００１７】
＜ヒートポンプ冷媒回路＞
ヒートポンプ冷媒回路は、圧縮機１と、液冷媒熱交換器２の冷媒側伝熱管２ａと、減圧装置３と、空気熱交換器４とを備えて構成され、冷媒が循環するように、それぞれ冷媒配管を介して順次環状に接続されている。なお、本実施形態での冷媒としては、炭酸ガス（ＣＯ2 ）冷媒が封入されており、また、本実施形態での被加熱液体（液）としては、水(飲用水道水)が用いられているものとして以下説明する。
【００１８】
圧縮機１は、空気熱交換器４からの冷媒を圧縮するとともに、圧縮した高温のガス冷媒（高温冷媒）を液冷媒熱交換器２の冷媒側伝熱管２ａに送り出している。
圧縮機１は、ＰＷＭ(Pulse Width Modulation)制御、電圧制御（例えばＰＡＭ（Pulse Amplitude Modulation)制御）またはこれらを組み合わせた制御により、低速（例えば７００回転／分）から高速（例えば６０００回転／分）まで回転速度制御ができるようになっている。
【００１９】
液冷媒熱交換器２は、圧縮機１から吐出される高温冷媒を流通させる冷媒側伝熱管２ａと、後述する水を流通させる液側伝熱管２ｂとを備えて構成され、冷媒側伝熱管２ａと液側伝熱管２ｂとの間で熱交換し易い構造となっている。
【００２０】
減圧装置３は、液冷媒熱交換器２の冷媒側伝熱管２ａと空気熱交換器４との間に配置される冷媒配管の途中に設けられており、一般に電動膨張弁が使用されている。
減圧装置３は、液冷媒熱交換器２を経て送られてくる中温高圧冷媒を減圧し、蒸発し易い低圧冷媒として空気熱交換器４へ送り出している。
また、減圧装置３は、絞り開度が調節可能となっており、この絞り開度を変えてヒートポンプ冷媒回路内の冷媒循環量を調節する働きや、冬期低温時にヒートポンプ運転して空気熱交換器４に着霜した場合に、絞り開度を全開にして中温冷媒を空気熱交換器４に多量に送って霜を溶かす除霜装置としても働く。
【００２１】
空気熱交換器４は、送風ファン５の回転によって外気を取り入れた空気と、空気熱交換器４内を流通する冷媒との熱交換を行って、外気から熱を汲み上げるものである。そして、冷媒は、空気熱交換器４から圧縮機１へと送られる。
【００２２】
＜被加熱液体回路＞
被加熱液体回路は、夜間の割引電気料金を利用して定期的に湯（高温水）を貯液タンク８に貯める沸き上げ運転（液体加熱運転）、および、残湯量が規定値以下になった場合に湯（高温水）を沸き増す沸き増し運転（液体加熱運転）によって、貯液タンク８に高温水を貯めるための液回路である。
被加熱液体回路は、貯液タンク８と、送液ポンプ１２と、液冷媒熱交換器２の液側伝熱管２ｂと、を備えて構成され、それぞれ液配管を介して順次環状に接続されている。
【００２３】
送液ポンプ１２は、被加熱液体回路内の水を送るポンプであり、具体的には、貯液タンク８の底部に接続された液配管を介して貯液タンク８内の水を液冷媒熱交換器２の液側伝熱管２ｂに入水する。
【００２４】
液冷媒熱交換器２は、前述した冷媒側伝熱管２ａと、送液ポンプ１２から吐出される低温水を流通させる液側伝熱管２ｂとを備えて構成され、冷媒側伝熱管２ａと液側伝熱管２ｂとの間で熱交換するように密着して設けられる。
【００２５】
このように、送液ポンプ１２から吐出される低温水は、液冷媒熱交換器２の液側伝熱管２ｂに流入して、規定温度に加熱され高温水となる。加熱された高温水は、貯液タンク８の上部から貯湯される。
【００２６】
＜給液回路＞
給液回路は、湯水使用時に行う給湯運転（液体供給運転）によって、台所蛇口１１などから湯水を供給するための液回路である。
給液回路は、給水金具６と、減圧弁７と、貯液タンク８と、湯水混合弁９と、給湯金具１０とが液配管を介して順次直列に接続され構成されている。
また、減圧弁７と貯液タンク８との間に配置される液配管は途中で分岐し、湯水混合弁９と接続されている。
給水金具６は水道などの給水源と接続され、給湯金具１０は台所蛇口１１に接続されている。なお、図１には、給湯金具１０に台所蛇口１１のみが接続されているが、洗面蛇口（図示せず）や風呂湯張り回路（図示せず）などの使用端末にも接続されていてもよい。
【００２７】
湯水混合弁９は、貯液タンク８の上部から供給される高温水（高温の被加熱液体）と、減圧弁７から供給される常温水（被加熱液体）を混合し、適温水として台所蛇口１１に供給する。使用者が、台所蛇口１１を開き湯水使用が開始されると、後述する運転制御手段５０は、給湯温度が適温（例えば、約４２℃）となるように湯水混合弁９からの給水量を調整し、給水金具６、減圧弁７、貯液タンク８、湯水混合弁９、給湯金具１０、台所蛇口１１の給液回路で適温水を供給する給湯運転を開始する。なお、給湯運転時は、水道などの給水源からの水圧で給湯を行う。
【００２８】
＜運転制御手段＞
次に、ヒートポンプ給湯機の運転制御手段５０について説明する。
運転制御手段５０は、圧縮機１、減圧装置３、送風ファン５、湯水混合弁９、送液ポンプ１２などを制御することにより、沸き上げ運転（液体加熱運転）、沸き増し運転（液体加熱運転）、給湯運転（液体供給運転）などを行うものである。
【００２９】
また、運転制御手段５０は、冬期低温時は高温貯湯の規定温度（例えば８５〜９０℃）で貯湯するとともに周囲温度や給水温度が低く加熱負荷が大きいため、圧縮機１を高回転速度（例えば３０００〜４０００回転／分）とし、夏期や中間期は加熱負荷が軽いので通常貯湯の規定温度（約６５℃）で比較的低回転速度（例えば１０００〜２０００回転／分）とするなどの最適運転制御手段（図示せず）を有している。
【００３０】
さらに、ヒートポンプ給湯機には、貯液タンク８の貯湯温度を検知するための複数のタンク温度センサ８ａ、８ｂ、８ｃ、８ｄや各部の冷媒温度や水温を検知する各部サーミスタ、および圧縮機１の吐出圧力を検知する圧力センサなど（いずれも図示せず）が設けられ、各検出信号は運転制御手段５０に入力されるように構成されている。運転制御手段５０はこれらの信号に基づいて各機器を制御するものである。
また、運転制御手段５０は複数のタンク温度センサ８ａ、８ｂ、８ｃ、８ｄの温度検出値の差異により、貯液タンク８内のどこまで貯湯されているかを検知して、貯湯量を計ることができる。
【００３１】
＜ヒートポンプ給湯機の運転動作＞
次に、本実施形態のヒートポンプ給湯機の運転動作について図１を参照しつつ、図２を用いて説明する。図２は、本実施形態に係るヒートポンプ給湯機の運転動作のフローチャートである。
ステップＳ１において、運転制御手段５０は、あらかじめ設定された沸き上げ時間帯内であるか否かを判定する。沸き上げ時間帯内である場合には（Ｓ１・Ｙｅｓ）、ステップＳ２に進む。一方、沸き上げ時間帯内でない場合には（Ｓ１・Ｎｏ）、ステップＳ５に進む。
なお、沸き上げ時間帯とは、給湯使用量を記憶学習して給湯使用量を推定し、この推定に基づき夜間の貯湯温度および貯湯量を決定するとともに、上記貯湯量が夜間電気割引料金の適用される規定時間（例えば２３時〜７時）内に沸き上がるように沸き上げ運転を行う時間帯である。
即ち、沸き上げ時間帯は、夜間電気割引料金が適用される規定時間内で設定される時間帯であり、沸き上げ時間帯と夜間電気割引料金が適用される規定時間とは異なる。
なお、本実施形態では、沸き上げ時間帯の貯湯量の規定量は満蓄（１００％）であり、沸き上げ設定温度を９０℃であるとして説明する。
【００３２】
ステップＳ２において、運転制御手段５０は、貯湯量が沸き上げ時間帯の規定量（図３に示す沸き上げ時間帯貯湯量設定値６３，第一所定量）以上か否かを判定する。貯湯量が規定量未満である場合には（Ｓ２・規定量未満）、ステップＳ３に進む。一方、規定量以上である場合には（Ｓ２・規定量以上）、ステップＳ４に進む。
なお、貯湯量の判定は、タンク温度センサ８ａ、８ｂ、８ｃ、８ｄで検出した温度が所定の温度（例えば７０℃）以上の場合には、タンク温度センサ８ａ、８ｂ、８ｃ、８ｄの設けられた位置まで貯液タンク８内に貯湯されていると判定することによって行う。
【００３３】
ステップＳ３において、運転制御手段５０は、沸き上げ運転を開始する。
即ち、運転制御手段５０は、圧縮機１、減圧装置３、送風ファン５を始動させヒートポンプ運転を開始するとともに、送液ポンプ１２を制御し、貯液タンク８の底部から循環されるタンク貯湯水を液冷媒熱交換器２で高温冷媒と熱交換して規定温度の高温水とし、貯液タンク８上部から戻す沸き上げ運転を行う。なお、運転制御手段５０は、沸き上げ設定温度（９０℃）と外気温度（例えば１６℃）に基づいて、ヒートポンプユニット３０の加熱能力が所定の加熱能力（例えば１３ｋＷ）となるように、圧縮機１や貯液タンク８の回転速度を制御する。その後、ステップＳ１に戻る。
【００３４】
ステップＳ４において、運転制御手段５０は、沸き上げ運転を終了する。
即ち、運転制御手段５０は、圧縮機１、減圧装置３、送風ファン５、送液ポンプ１２を停止させる。その後、ステップＳ１に戻る。
なお、貯湯量が規定量以上になって（Ｓ２・規定量以上）、沸き上げ運転が終了しても（Ｓ４）、ステップＳ１に戻り、沸き上げ時間帯内であれば（Ｓ１・Ｙｅｓ）、貯湯量の判定を行う（Ｓ２）。これにより、沸き上げ時間帯内において、その後の湯の使用などにより貯湯量が規定量を下回った場合（Ｓ２・規定量未満）、ステップＳ３に進み、沸き上げ運転が開始され、貯湯量が確保される。
【００３５】
ステップＳ１がＮｏである場合のステップＳ５において、運転制御手段５０は、貯湯量が規定量（第三所定量）以上か否かを判定する。貯湯量が規定量未満である場合には（Ｓ５・規定量未満）、ステップＳ６に進む。一方、規定量以上である場合には（Ｓ５・規定量以上）、ステップＳ７に進む。
なお、ステップＳ５における規定量は、ステップＳ２における規定量と同じであってもよく、ステップＳ２の規定量よりも小さい規定量であってもよい。
【００３６】
ステップＳ６において、運転制御手段５０は、沸き上げ運転を所定時間延長する。所定時間経過後、ステップＳ７に進む。
このように、例えば、沸き上げ時間帯の終了付近で湯が使用され、貯湯量が規定量（第三所定量）未満となった場合には（Ｓ５・規定未満）、沸き上げ時間帯の終了時刻を経過しても沸き上げ時間帯の終了時刻を延長して、沸き上げ運転を所定時間延長する(Ｓ６)。これにより、他時間帯において、湯切れが発生するおそれを減少させることができる。
なお、前述のように、沸き上げ時間帯は、夜間電気割引料金が適用される規定時間内で設定される時間帯である。そのため、沸き上げ時間帯の終了時刻を経過したとしても、夜間電気割引料金が適用可能な場合には、湯切れが発生してから沸き増し運転をする場合と比較して電気料金を節約することができる。
【００３７】
ステップＳ７において、運転制御手段５０は、沸き上げ運転を終了する。
即ち、運転制御手段５０は、圧縮機１、減圧装置３、送風ファン５、送液ポンプ１２を停止させる。その後、ステップＳ８に進む。
【００３８】
ステップＳ８において、運転制御手段５０は、あらかじめ設定された他時間帯内であるか否かを判定する。他時間帯内である場合には（Ｓ８・Ｙｅｓ）、ステップＳ９に進む。一方、他時間帯内でない場合には（Ｓ８・Ｎｏ）、ステップＳ１２に進む。
なお、他時間帯とは、沸き上げ時間帯以外の時間帯である。
【００３９】
ステップＳ９において、運転制御手段５０は、貯湯量（残湯量）が他時間帯の規定量（図３に示す他時間帯貯湯量設定値７３，第二所定量）以上か否かを判定する。貯湯量（残湯量）が規定量未満である場合には（Ｓ９・規定量未満）、ステップＳ１０に進む。一方、規定量以上である場合には（Ｓ９・規定量以上）、ステップＳ１１に進む。
【００４０】
ステップＳ１０において、運転制御手段５０は、沸き増し運転を開始して、貯湯タンク８内の湯を沸き増す。なお、沸き増し運転におけるヒートポンプユニット３０の動作は、ステップＳ３の沸き上げ運転と同様であり説明を省略する。その後、ステップＳ８に戻る。
【００４１】
ステップＳ１１において、運転制御手段５０は、沸き増し運転を終了する。なお、沸き増し運転の終了については、ステップＳ４と同様であり説明を省略する。その後、ステップＳ８に戻る。
【００４２】
ステップＳ８がＮｏである場合のステップＳ１２において、運転制御手段５０は、沸き増し運転を終了する。なお、ステップＳ１２においては、他時間帯の終了時刻を経過し（Ｓ８・Ｎｏ）、沸き上げ時間帯となっている。このため、沸き増し運転を実行していた場合には、ヒートポンプを停止させず、そのまま沸き上げ運転に移行させてもよい。
【００４３】
ステップＳ１３において、運転制御手段５０は、余分湯量（残湯量）から「沸き上げ時間帯の終了時刻」を学習する。
これにより、ヒートポンプ給湯機の１日の運転が終了する。
【００４４】
＜沸き上げ時間帯の終了時刻学習制御＞
図２のステップＳ１３に示す学習制御について、図３および図４を用いて説明する。
図３は、本実施形態に係るヒートポンプ給湯機の1日の残湯量変化を示す図である。
ヒートポンプ給湯機の運転制御は、図２のフローチャートに示すように、沸き上げ時間帯開始時刻６１から沸き上げ時間帯終了時刻６２までの沸き上げ時間帯６０（図２のＳ１〜Ｓ４参照）と、他時間帯開始時刻７１から他時間帯終了時刻７２までの他時間帯７０（図２のＳ８〜Ｓ１１参照）とに分かれている。
なお、前述のように、沸き上げ時間帯６０と夜間電気割引料金が適用される規定時間とは、異なるものである。このため、運転制御手段５０は、沸き上げ時間帯終了時刻６２を自由に設定することができる。
運転制御手段５０は、沸き上げ時間帯６０において、貯湯量（残湯量）８０が沸き上げ時間帯貯湯量設定値６３以上となるように沸き上げ運転を行う。また、運転制御手段５０は、他時間帯７０において、貯湯量（残湯量）８０が他時間帯貯湯量設定値７３未満となると沸き上げ運転を行い、貯湯タンク８内の湯を沸き増す沸き増し運転を行う。
【００４５】
図２のステップＳ１３において、運転制御手段５０は、１日の運転終了時、即ち、他時間帯７０の他時間帯終了時刻７２（沸き上げ時間帯６０の沸き上げ時間帯開始時刻６１）の貯湯量（残湯量）８０から他時間帯貯湯量設定値７３を減算して余分湯量８１を算出する。
【００４６】
図４は、本実施形態に係るヒートポンプ給湯機の学習制御を説明する図である。
運転制御手段５０は、算出した余分湯量８１に基づいて、ヒートポンプユニット３０が余分湯量８１を沸き上げるのに要する時間を算出して、現在の沸き上げ時間帯終了時刻６２から減算し、学習結果反映後の沸き上げ時間帯終了時刻６２Ａを算出する。
なお、余分湯量８１がマイナスの値の場合には、ヒートポンプユニット３０が余分湯量８１の絶対値を沸き上げるのに要する時間を算出して、現在の沸き上げ時間帯終了時刻６２に加算し、学習結果反映後の沸き上げ時間帯終了時刻６２Ａを算出する。運転制御手段５０は、算出した学習結果反映後の沸き上げ時間帯終了時刻６２Ａを記憶する。
【００４７】
運転制御手段５０は、図４に示すように、同曜日の過去三週間分の学習結果反映後の沸き上げ時間帯終了時刻６２Ａの平均値を算出して、翌週の同曜日の沸き上げ時間帯終了時刻６２とする。
【００４８】
本実施形態によれば、過去複数週間の各曜日毎の平均値により、季節の移り変わりによる使用量や沸き上げ能力による変動を吸収することができ湯切れリスクを低減することがきる。また、流量センサなどを設置する必要がなく、安価にシステムを構築することができる。
また、学習制御により、余分湯量８１（図３参照）が少なくなるように学習制御することにより、他時間帯７０の沸き増しロスを小さくし、沸き上げ時間帯６０の沸き上げ湯量を多くすることができるので、電気代を節約できるヒートポンプ給湯機（液体加熱供給装置）を得ることができる。
【００４９】
なお、本実施形態に係る液体加熱供給装置（ヒートポンプ給湯機）は、上記実施形態の構成に限定されるものではなく、発明の趣旨を逸脱しない範囲内で種々の変更が可能である。
例えば、上記実施形態の構成においては、送液ポンプ１２の位置は、液冷媒熱交換器２の上流側に設定されているものとして説明したが、これに限定されるものではなく、液冷媒熱交換器２の下流側にあってもよい。
また、被加熱液体の加熱手段として、ヒートポンプユニット３０を用いて、貯液タンク８内の被加熱液体を加熱するものとして説明したが、貯液タンク８内にヒータ（図示せず）を設けて、このヒータを被加熱液体の加熱手段として用いてもよい。
【符号の説明】
【００５０】
１    圧縮機
２    液冷媒熱交換器
２ａ  冷媒側伝熱管
２ｂ  液側伝熱管
３    減圧装置
４    空気熱交換器
５    送風ファン
６    給水金具
７    減圧弁
８    貯液タンク
８ａ、８ｂ、８ｃ、８ｄ  タンク温度センサ
９    湯水混合弁
１０  給湯金具
１１  台所蛇口
１２  送液ポンプ
３０  ヒートポンプユニット（液体加熱手段）
４０  貯液ユニット
５０  運転制御手段
６０  沸き上げ時間帯
６１  沸き上げ時間帯開始時刻
６２  沸き上げ時間帯終了時刻
６３  沸き上げ時間帯貯湯量設定値（第一所定量）
７０  他時間帯
７３  他時間帯貯湯量設定値６３（第二所定量）
８０  貯湯量
８１  余分湯量
【図１】
0005571514.tif 000002
【図２】
0005571514.tif 000003
【図３】
0005571514.tif 000004
【図４】
0005571514.tif 000005